(57)【要約】  本発明は、ＵＥがＶＰＬＭＮ（在圏ＰＬＭＮ）に入るときに、該ＵＥのＰＤＮ（パケットデータネットワーク）接続を最適化する方法であって、トラッキングエリア更新手順の間に上記ＶＰＬＭＮ内の上記ＵＥにデフォルトベアラを自動的に割り当てることによって特徴付けられる、方法に関する。本発明による方法は、好ましくは、ＵＥが幾つかのＰＬＭＮ間でローミングしているときに、ユーザプレーン又はコントロールプレーンのトラフィックのローカルブレイクアウトを可能にするのに使用されるが、それに限定されない。
2011515879.tif 000002
【特許請求の範囲】
【請求項１】
ＵＥがＶＰＬＭＮ（在圏ＰＬＭＮ）に入るときに、該ＵＥのＰＤＮ（パケットデータネットワーク）接続を最適化する方法であって、トラッキングエリア更新手順の間に前記ＶＰＬＭＮ内の前記ＵＥにデフォルトベアラを自動的に割り当てることによって特徴付けられる、方法。
【請求項２】
前記ＶＰＬＭＮ内の前記ＵＥへの前記デフォルトベアラの前記割当ては、ホームＰＬＭＮの制御下にある、請求項１に記載の方法。
【請求項３】
前記ＶＰＬＭＮ内の前記ＵＥへの前記デフォルトベアラの前記割当ては、該ＵＥによって開始される、請求項２に記載の方法。
【請求項４】
前記ＵＥは前記トラッキングエリア更新要求メッセージにＰＤＮアドレス割当てパラメータを付加する、請求項３に記載の方法。
【請求項５】
前記ＵＥは、前記在圏ＰＬＭＮ内のＭＭＥ（移動管理エンティティ）に、該ＶＰＬＭＮ内の前記デフォルトベアラが要求されていることを、前記トラッキングエリア更新要求メッセージに付加された新たな「追加デフォルトベアラ要求」フラグを介して指示する、請求項３に記載の方法。
【請求項６】
前記トラッキングエリア更新要求メッセージからの追加デフォルトベアラ要求パラメータ及びＰＤＮアドレス割当てパラメータは、ＥＳＭ（ＥＰＳセッション管理）メッセージ内に含まれる、請求項４及び５に記載の方法。
【請求項７】
ＰＤＮアドレス及び前記ＵＥがアクセスを許可されるＡＰＮのリストは、前記トラッキングエリア更新要求メッセージに応答して前記ＵＥによって受信される前記トラッキングエリア更新受理メッセージに付加される、請求項５に記載の方法。
【請求項８】
トラッキングエリア更新受理メッセージからの追加デフォルトベアラパラメータ、ＰＤＮアドレス情報パラメータ、ＡＰＮパラメータ、及びＥＰＳベアラアイデンティティパラメータは、ＥＳＭメッセージ内に含まれる、請求項４及び５に記載の方法。
【請求項９】
前記ＶＰＬＭＮ内の前記ＵＥへの前記デフォルトベアラの前記割当ては、前記ＭＭＥによって、前記ＶＰＬＭＮ内にさらなるデフォルトベアラを確立することができるか否かの指示、及び前記ＵＥがアクセスを許可されるＡＰＮのリストが受信されるとトリガされ、該指示及び該リストは加入データ内に含まれる、請求項４に記載の方法。
【請求項１０】
前記ＶＰＬＭＮ内の前記ＵＥへの前記デフォルトベアラの前記割当ては、前記ＭＭＥによって、トラッキングエリア更新要求において追加デフォルトベアラ要求が受信されるとトリガされる、請求項５に記載の方法。
【請求項１１】
ユーザ機器であって、ＶＰＬＭＮ（在圏ＰＬＭＮ）に入ると、トラッキングエリア更新手順の間にデフォルトベアラの自動割当てをトリガする手段を備えることを特徴とする、ユーザ機器。
【請求項１２】
前記トラッキングエリア更新要求メッセージにＰＤＮアドレス割当てパラメータを付加する手段をさらに備える、請求項１１に記載のユーザ機器。
【請求項１３】
前記トラッキングエリア更新要求メッセージ内に、前記デフォルトベアラが要求されていることを前記在圏ＰＬＭＮ内のＭＭＥ（移動管理エンティティ）に指示するための新たな「追加デフォルトベアラ要求」フラグを生成する手段をさらに備える、請求項１１に記載のユーザ機器。
【請求項１４】
ＵＥがＶＰＬＭＮ（在圏ＰＬＭＮ）に入るときに、該ＵＥのＰＤＮ（パケットデータネットワーク）接続を最適化するようになっている移動管理エンティティ（ＭＭＥ）であって、前記トラッキングエリア更新手順の間に前記ＶＰＬＭＮ内の前記ＵＥにデフォルトベアラを自動的に割り当てるために、トラッキングエリア更新受理メッセージにＰＤＮアドレス割当てパラメータを付加する手段を備えることを特徴とする、ＭＭＥ。
【請求項１５】
ＵＥがＶＰＬＭＮ（在圏ＰＬＭＮ）に入るときに、該ＵＥのＰＤＮ（パケットデータネットワーク）接続を最適化するようになっているホーム加入者サーバ（ＨＳＳ）であって、前記ＶＰＬＭＮ内にさらなるデフォルトベアラを確立することができるか否かの指示、及び前記ＵＥがアクセスを許可されるＡＰＮのリストを記憶する手段と、該指示及び該ＡＰＮのリストを無線通信ネットワーク内の移動管理エンティティ（ＭＭＥ）に送信する手段とを備えることを特徴とする、ＨＳＳ。
【請求項１６】
複数の基地局と、ホーム加入者サーバ（ＨＳＳ）と、複数の移動管理エンティティ（ＭＭＥ）と、複数のユーザ機器（ＵＥ）とを備える無線通信ネットワークであって、前記ホーム加入者サーバ（ＨＳＳ）は、前記ＵＥが在圏するＶＰＬＭＮ内にさらなるデフォルトベアラを確立することができるか否かの指示、及び前記ＵＥがアクセスを許可されるＡＰＮのリストを記憶する手段と、トラッキングエリア更新手順の間に前記ＶＰＬＭＮ内の前記ＵＥにデフォルトベアラを自動的に割り当てるために、前記指示及び前記ＡＰＮのリストを前記移動管理エンティティ（ＭＭＥ）に送信する手段とを備えることを特徴とする、無線通信ネットワーク。
【請求項１７】
前記移動管理エンティティ（ＭＭＥ）は、前記トラッキングエリア更新手順の間に前記ＶＰＬＭＮ内の前記ＵＥにデフォルトベアラを自動的に割り当てるために、トラッキングエリア更新受理メッセージにＰＤＮアドレス割当てパラメータを付加する手段を備える、請求項１５に記載の無線通信ネットワーク。
【発明の詳細な説明】
【技術分野】
【０００１】
本発明は通信分野に関し、ＵＥがＶＰＬＭＮ（在圏ＰＬＭＮ（Visited PLMN））に入るとき、該ＵＥのＰＤＮ（パケットデータネットワーク）接続を最適化する方法に関する。
【０００２】
本発明は、上記方法を実施するのに適したユーザ機器にも関する。
【背景技術】
【０００３】
ＥＰＳ（進化型パケットシステム）において、Ｅ−ＵＴＲＡＮ（進化型ユニバーサル地上無線アクセスネットワーク）に接続可能な端末は、アタッチ手順の間、デフォルトベアラを割り当てられる。このデフォルトベアラは、ＰＤＮ（パケットデータネットワーク）への常時ＩＰ接続性を提供する。これらの端末が該端末のホームＰＬＭＮにアタッチする場合、該端末は、ホームＰＬＭＮ内のＰＤＮにアクセスするためのデフォルトベアラを割り当てられる。
【０００４】
図１は、（移動管理エンティティ）ＭＭＥ４と、ホームサービングゲートウェイ６と、（進化型ユニバーサル地上無線アクセスネットワークアクセスネットワーク）Ｅ−ＵＴＲＡＮ８とを備えるネットワークアーキテクチャにおけるＨＰＬＭＮにアタッチされるＵＥ（ユーザ機器）２を示している。ＭＭＥはＨＳＳに接続され、ホームサービングゲートウェイ６は上記ＨＰＬＭＮのＰＤＮゲートウェイ１２に接続される。ＰＤＮゲートウェイ１２は、ＵＥ２を、ＩＭＳ又はＰＳＳのようなオペレータＩＰサービス１４に接続する。
【０００５】
ＵＥ２が上記オペレータＩＰサービス１８にアクセスすることを可能にするために、デフォルトベアラ１６がホームＰＬＭＮ内に確立される。
【０００６】
図２は、ＵＥ２が自身のＨＰＬＭＮからＶＰＬＭＮにローミングするケースを示している。
【０００７】
この状況では、ＵＥは、在圏サービングゲートウェイ２２を通じて、ＰＤＮゲートウェイ１２及びＰＤＮゲートウェイ在圏ＰＬＭＮ２０に接続する。
【０００８】
ＵＥ２が在圏オペレータＩＰサービス２６にアクセスすることを可能にするために、在圏ＰＤＮに対するデフォルトベアラ２４がＶＰＬＭＮ内に確立される。現在の３ＧＰＰ勧告によれば、デフォルトＰＤＮと異なるＰＤＮに対する接続性を確立するための１つの可能性は、図３を参照して下記で説明される、ＰＤＮ接続性を要求したＵＥのための手順を用いることである。図３は、在圏ＰＬＭＮにおけるＵＥローミング、及びさらにトラッキングエリア更新手順に対する追加のＰＤＮ接続性の要求に関する現在の最新技術を説明する。これは、３ＧＰＰ文書Ｓ２−０７４７６０において記載されるような、ローカルブレイクアウトに使用される手順とすることができることが想定される。
【０００９】
ＵＥ２は、新たなトラッキングエリアに移動するとき、ＴＡＵ要求をｅＮｏｄｅＢ３２に送信する（ステップ３０）。このｅＮｏｄｅＢ３２は、上記ＴＡＵ要求を新たなＭＭＥ３６に送信する（ステップ３４）。新たなＭＭＥ３６は、コンテキスト要求を古いＭＭＥ４０に送信し（ステップ３８）、古いＭＭＥ４０はコンテキスト応答によって新たなＭＭＥ３６に応答する（ステップ４２）。
【００１０】
ＵＥ２の認証（ステップ４４）の後、新たなＭＭＥ３６はコンテキスト肯定応答を古いＭＭＥ４０に送信する（ステップ４８）。
【００１１】
ステップ５０において、新たなＭＭＥ３６はベアラ作成要求を新たなサービングゲートウェイ５２に送信し、新たなサービングゲートウェイ５２はベアラ更新要求をホームＰＬＭＮ内のＰＤＮゲートウェイ５６に送信する（ステップ５４）。ＰＤＮゲートウェイ５６はベアラ更新要求を新たなサービングゲートウェイ５２に送信する（ステップ５６）。上記新たなサービングゲートウェイ５２はベアラ作成応答を新たなＭＭＥ３６に送信する（ステップ５８）。
【００１２】
新たなＭＭＥ３６はロケーション更新をＨＳＳ６２（ホーム加入者サーバ）に送信する（ステップ６０）。
【００１３】
ステップ６４において、ＨＳＳ６２はロケーションキャンセルメッセージを古いＭＭＥ４０に送信する。
【００１４】
ステップ６６において、古いＭＭＥ４０はロケーションキャンセル肯定応答によってＨＳＳ６２に応答する。
【００１５】
ステップ６８において、ＨＳＳ６２は加入者データ（ＩＭＳ、加入者データ）インサート要求を新たなＭＭＥ３６に送信する。
【００１６】
ステップ７０において、新たなＭＭＥ３６は加入者データインサート要求肯定応答をＨＳＳ６２に送信する。
【００１７】
ステップ７２において、ＨＳＳ６２はロケーション更新肯定応答を新たなＭＭＥ３６に送信する。
【００１８】
ステップ７４において、古いＭＭＥ４０はベアラ削除要求を古いサービングゲートウェイ７６に送信する。
【００１９】
ステップ７８において、古いサービングゲートウェイ７６はベアラ削除応答を古いＭＭＥ４０に送信する。
【００２０】
ステップ８０において、新たなＭＭＥ３６はＴＡＵ（トラッキングエリア更新受理）をＵＥ２に送信する。
【００２１】
ステップ８２において、ＵＥ２はＴＡＵ完了メッセージを新たなＭＭＥ３６に送信する。
【００２２】
ステップ９０において、ＵＥ２はＶＰＬＭＮにおける新たなＰＤＮ接続の設定を要求し、ステップ９２においてＰＤＮ接続性要求を新たなＭＭＥ３６に送信する。
【００２３】
ステップ９４において、新たなＭＭＥ３６はデフォルトベアラ作成要求を新たなサービングゲートウェイ５２に送信する。
【００２４】
ステップ９６において、新たなサービングゲートウェイ５２はデフォルトベアラ作成要求をＶＰＬＭＮ内のＰＤＮゲートウェイ９８に送信する。
【００２５】
ステップ９８において、ＰＤＮゲートウェイはＰＣＲＦ（ポリシ及び請求ルール機能）と対話して、ＵＥのためのデフォルトＰＣＣ（ポリシ、制御、及び請求）ルールを取得することができる。
【００２６】
ステップ１００において、ＰＤＮゲートウェイ９８はデフォルトベアラ作成応答を新たなサービングゲートウェイ５２に送信する。
【００２７】
ステップ１０２において、新たなサービングゲートウェイ５２はベアラ作成応答を新たなＭＭＥ３６に送信する。
【００２８】
ステップ１０４において、新たなＭＭＥ３６はベアラ設定要求をｅＮｏｄｅＢ３２に送信する。
【００２９】
ステップ１０６において、ｅＮｏｄｅＢ３２は無線ベアラ確立要求をＵＥ２に送信する。
【００３０】
ステップ１０８において、ＵＥ２はベアラ設定応答をｅＮｏｄｅＢ３２に送信する。
【００３１】
ステップ１１０において、ｅＮｏｄｅＢ３２はベアラ設定応答を新たなＭＭＥ３６に送信する。
【００３２】
ステップ１１２において、新たなＭＭＥ３６はベアラ更新要求を新たなサービングゲートウェイ５２に送信する。
【００３３】
図３においてわかるように、ローカルブレイクアウトを行うために、ＵＥ２によって新たなＰＤＮに対するＰＤＮ接続性を確立することができるが、これは明示的な独立型手順（ステップ９０〜ステップ１１２）を必要とする。
【００３４】
しかしながら、この手順を使用することは、ＵＥ（ユーザ機器）が在圏ＰＬＭＮ内でローミングするとき、該ＵＥの責任でこのＰＤＮ接続性を設定することを意味する。さらに、現在の３ＧＰＰ仕様には、ホームＰＬＭＮ内のＰＤＮへの接続を維持しながら、在圏ＰＬＭＮ内のＰＤＮへの接続をどのように実行するか及びいつ実行するかについて記載されていない。
【発明の概要】
【発明が解決しようとする課題】
【００３５】
本発明の目的は、ＵＥが別のＰＬＭＮから在圏ＰＬＭＮに入り次第、この在圏ＰＬＭＮ内のＰＤＮへの接続性を確立する手段を提供することである。上記別のＰＬＭＮは、ホームＰＬＭＮ又は別の在圏ＰＬＭＮとすることができる。
【課題を解決するための手段】
【００３６】
本発明の目的は、ＵＥがＶＰＬＭＮ（在圏ＰＬＭＮ）に入るときに、該ＵＥのＰＤＮ（パケットデータネットワーク）接続を最適化する方法であって、トラッキングエリア更新手順の間に上記ＶＰＬＭＮ内の上記ＵＥにデフォルトベアラを自動的に割り当てることによって特徴付けられる、方法によって達成される。
【００３７】
本発明による方法は、好ましくは、ＵＥが幾つかのＰＬＭＮ間でローミングしているときに、ユーザプレーン又はコントロールプレーンのトラフィックのローカルブレイクアウトを可能にするのに使用されるが、それに限定されない。
【００３８】
これは、ホームＰＬＭＮ内のＰＤＮゲートウェイ（ＰＤＮ ＧＷ）に送信される、デフォルトホームＰＤＮへのトラフィックを維持しながら、たとえばインターネットにアクセスすること、又は在圏ＰＬＭＮ内のＰＤＮゲートウェイを使用して緊急通話を行うことを可能にする。在圏ＰＤＮは、音声又はビデオのような、ローカルＰＤＮへの接続性から利益を受けることができる幾つかのＩＭＳ（ＩＰマルチメディアコアネットワークサブシステム）サービスにも使用することができる。ローカルブレイクアウトの利用は、ホームオペレータポリシ及びユーザの加入に依拠する。
【００３９】
本発明による方法の第１の実施の形態において、ＶＰＬＭＮ内のＵＥへの上記デフォルトベアラの割当ては、ホームＰＬＭＮの制御下にある。
【００４０】
本発明による方法の第２の実施の形態において、ＶＰＬＭＮ内のＵＥへのデフォルトベアラの割当ては、ＵＥによって開始される。
【００４１】
この実施の形態において、ＵＥはトラッキングエリア更新要求メッセージにＰＤＮアドレス割当てパラメータを付加する。
【００４２】
ＰＤＮアドレス、及びＵＥがアクセスを許可されるＡＰＮのリストは、上記トラッキングエリア更新要求メッセージに応答してＵＥによって受信されるトラッキングエリア更新受理メッセージに付加される。
【００４３】
本発明の別の特徴によれば、ＵＥは、在圏ＰＬＭＮ内のＭＭＥ（移動管理エンティティ）に、ＶＰＬＭＮ内のデフォルトベアラが要求されていることを、トラッキングエリア更新要求メッセージ内の新たな「追加デフォルトベアラ要求」フラグを介して指示する。
【００４４】
ＶＰＬＭＮ内のＵＥへの上記デフォルトベアラの割当ては、上記ＭＭＥによって、トラッキングエリア更新要求において追加デフォルトベアラ要求が受信されるとトリガされる。
【００４５】
代替的な一変形では、ＶＰＬＭＮ内のＵＥへの上記デフォルトベアラの割当ては、上記ＭＭＥによって、ＶＰＬＭＮ内にさらなるデフォルトベアラを確立することができるか否かの指示、及びＵＥがアクセスを許可されるＡＰＮのリストが受信されるとトリガされる。該指示及び該リストは加入データ内に含まれる。
【００４６】
本発明は、ＶＰＬＭＮ（在圏ＰＬＭＮ）に入ると、トラッキングエリア更新手順の間にデフォルトベアラの自動割当てをトリガする手段を備えるユーザ機器によって実施される。
【００４７】
上記ユーザ機器は、トラッキングエリア更新要求メッセージにＰＤＮアドレス割当てパラメータを付加する手段と、ＵＥにおける予め構成されたポリシに基づいて、トラッキングエリア更新要求メッセージ内に、デフォルトベアラが要求されていることを上記在圏ＰＬＭＮ内のＭＭＥ（移動管理エンティティ）に指示するための新たな「追加デフォルトベアラ要求」フラグを生成する手段とをさらに備える。
【００４８】
本発明による方法は、複数の基地局と、ホーム加入者サーバ（ＨＳＳ）と、複数の移動管理エンティティ（ＭＭＥ）と、複数のユーザ機器（ＵＥ）とを備える無線通信ネットワークであって、上記ホーム加入者サーバ（ＨＳＳ）は、上記ＵＥが在圏するＶＰＬＭＮ内にさらなるデフォルトベアラを確立することができるか否かの指示、及び上記ＵＥがアクセスを許可されるＡＰＮのリストを記憶する手段と、トラッキングエリア更新手順の間に上記ＶＰＬＭＮ内の上記ＵＥにデフォルトベアラを自動的に割り当てるために、上記指示及び上記ＡＰＮのリストを移動管理エンティティ（ＭＭＥ）に送信する手段とを備える、無線通信ネットワークにおいて使用される。
【００４９】
上記移動管理エンティティ（ＭＭＥ）は、上記トラッキングエリア更新手順の間に上記ＶＰＬＭＮ内の上記ＵＥにデフォルトベアラを自動的に割り当てるために、トラッキングエリア更新受理メッセージにＰＤＮアドレス割当てパラメータを付加する手段を備える。
【００５０】
本発明の他の特徴及び利点は、添付の図面を参照して非限定的な例として考慮される以下の詳細な説明から明らかになるであろう。
【図面の簡単な説明】
【００５１】
【図１】ホームＰＬＭＮ内に確立されるデフォルトベアラを示す図である。
【図２】在圏ＰＬＭＮ内に確立されるデフォルトベアラを示す図である。
【図３】在圏ＰＬＭＮにおけるＵＥローミング、及びさらにトラッキングエリア更新手順への追加のＰＤＮ接続性の要求に関する現在の最新技術を説明する図である。
【図４】本発明の第１の実施形態によるトラッキングエリア更新手順を説明する図である。
【図５】本発明の第２の実施形態によるトラッキングエリア更新手順を説明する図である。
【発明を実施するための形態】
【００５２】
以下の説明を明確にする目的で、従来技術を説明する図面及び本発明を説明する図面内の同一の特徴及び同一のステップは、同じ参照符号を与えられる。
【００５３】
ここで図４を参照すると、ＵＥ２が新たなトラッキングエリアに移動すると、ＵＥ２はＴＡＵ要求を送信する（ステップ２００）。ＴＡＵ要求はｅＮｏｄｅＢ３２に対するＰＤＮアドレス割当てを含む。
【００５４】
このケースでは、本方法は以下のステップ：
−在圏ＰＬＭＮ内の新たなＭＭＥ（移動管理エンティティ）と在圏ＰＬＭＮ内の新たなサービングＧＷ（ゲートウェイ）との間のデフォルトベアラを作成するステップ２１０、
−新たなサービングＧＷと在圏ＰＬＭＮ内のＰＤＮ ＧＷとの間のデフォルトベアラを作成するステップ２１２、
−場合によってＰＣＲＦと対話するステップ２１４であって、ＵＥのためのデフォルトＰＣＣルールを取得する、対話するステップ２１４、
−在圏ＰＬＭＮ内のＰＤＮ ＧＷと在圏ＰＬＭＮ内のサービングＧＷとの間で応答するステップ２１６、
−在圏ＰＬＭＮ内のサービングＧＷと在圏ＰＬＭＮ内のＭＭＥとの間で応答するステップ２１８、
を含む。
【００５５】
在圏ＰＬＭＮ内のＰＤＮゲートウェイに向けたデフォルトベアラ作成要求は、トラッキングエリア更新手順内に含まれる。
【００５６】
トラッキングエリア更新手順の間にＩＰアドレスの割当てを要求するか否か、又はＩＥＴＦ（インターネット技術タスクフォース）ベースのＩＰアドレス割当てメカニズムが使用されるか否か、及びいずれのＩＰバージョン、ＩＰｖ４若しくはＩＰｖ６がＵＥ２によってサポートされるかを指示するために、トラッキングエリア更新要求メッセージ内にＰＤＮアドレス割当てが含まれることに留意されたい。
【００５７】
さらに、ステップ６８において、ＨＳＳ６２によって新たなＭＭＥ３６に送信される加入データは、さらなるデフォルトベアラに関する、該ＭＭＥに有用な情報、すなわち、さらなるデフォルトベアラをＶＰＬＭＮ内に確立することができるか否かに関する情報、及びまた、ＵＥがアクセスを許可される全てのＡＰＮのリストを含む。
【００５８】
最後に、ステップ８０を以下のように、すなわち追加デフォルトベアラフラグが、トラッキングエリア更新手順中にさらなるデフォルトベアラが確立されたか否かを指示するように変更する。デフォルトベアラが確立された場合、ＵＥ２にＰＤＮ接続情報を提供するために、ＵＥ２に割り当てられたＡＰＮ及びＰＤＮアドレスが、新たなＭＭＥ３６から、トラッキングエリア更新受理メッセージ２０２内でＵＥ２に送信され、新たなデフォルトベアラのためのＥＰＳベアラアイデンティティも該メッセージ内に含まれる。
【００５９】
代替的に、追加デフォルトベアラフラグは除去することができ、ＵＥ２は、さらなるデフォルトベアラが確立されたか否かを判断するのに、ＡＰＮパラメータ、ＰＤＮアドレスパラメータ、及びＥＰＳベアラアイデンティティパラメータの存在にしか依拠しない。
【００６０】
図５は、新たなオプションのステップが提案される本発明の第２の実施形態を説明する。新たなオプションのステップは、
−在圏ＰＬＭＮ内の新たなＭＭＥ３６（移動管理エンティティ）と在圏ＰＬＭＮ内の新たなサービングゲートウェイ５２との間のデフォルトベアラを作成するステップ２３０、
−新たなサービングゲートウェイ５２と在圏ＰＬＭＮ内のＰＤＮゲートウェイとの間のデフォルトベアラを作成するステップ２３２と、
−場合によってＰＣＲＦと対話するステップ２３４であって、ＵＥのためのデフォルトＰＣＣルールを取得する、対話するステップ２３４、
−在圏ＰＬＭＮ内のＰＤＮゲートウェイと在圏ＰＬＭＮ内のサービングＧＷ５２との間で応答するステップ２３６、
−在圏ＰＬＭＮ内のサービングＧＷと在圏ＰＬＭＮ内のＭＭＥとの間で応答するステップ２３８、
を含む。
【００６１】
さらに、ステップ３０を以下のように、すなわち、トラッキングエリア更新手順の間にＩＰアドレスの割当てを要求するか否か、又はＩＥＴＦベースのＩＰアドレス割当てメカニズムが使用されるか否かを指示するために、ＰＤＮアドレス割当てがトラッキングエリア更新要求メッセージ内に含まれるように変更する。
【００６２】
ステップ６８において、ＨＳＳ６２からの加入データは、さらなるデフォルトベアラに関する、新たなＭＭＥ３６に有用な情報、すなわち、さらなるデフォルトベアラをＶＰＬＭＮ内に確立することができるか否かの情報、及びまた、ＵＥがアクセスを許可される全てのＡＰＮのリストを含む。
【００６３】
最後に、ステップ８０を以下のように、すなわち追加デフォルトベアラフラグが、トラッキングエリア更新手順中にさらなるデフォルトベアラが確立されたか否かを指示するように変更する。デフォルトベアラが確立された場合、ＵＥ２にＰＤＮ接続情報を提供するために、ＵＥ２に割り当てられたＡＰＮ及びＰＤＮアドレスが、新たなＭＭＥ３６から、トラッキングエリア更新受理メッセージ内でＵＥ２に送信され、新たなデフォルトベアラのためのＥＰＳベアラアイデンティティも該メッセージ内に含まれる。
【００６４】
代替的に、追加デフォルトベアラフラグは除去することができ、ＵＥ２は、さらなるデフォルトベアラが確立されたか否かを判断するのに、ＡＰＮパラメータ、ＰＤＮアドレスパラメータ、及びＥＰＳベアラアイデンティティパラメータの存在にしか依拠しない。
【００６５】
本発明の別の実施形態では、トラッキングエリア更新要求メッセージからの追加デフォルトベアラ要求パラメータ及びＰＤＮアドレス割当てパラメータは、ＥＳＭ（ＥＰＳセッション管理）メッセージ内に含まれ、トラッキングエリア更新受理メッセージからの追加デフォルトベアラパラメータ、ＰＤＮアドレス情報パラメータ、ＡＰＮパラメータ、及びＥＰＳベアラアイデンティティパラメータは、ＥＳＭメッセージ内に含まれる。
【００６６】
本出願は、２００８年３月２１日付けで出願された、欧州特許出願０８１０２８５８．１号に基づくと共に、該特許出願の利益を主張するものであり、該特許出願の開示は参照によりその全体が本明細書に援用される。
【図１】
2011515879.tif 000003
【図２】
2011515879.tif 000004
【図３】
2011515879.tif 000005
【図４】
2011515879.tif 000006
【図５】
2011515879.tif 000007
【国際調査報告】
2011515879.tif 000008